(57)【要約】【課題】シャッタ装置に於いて、シャッタカーテンの開閉を容易にする。【解決手段】シャッタカーテン２２の屋内１側に、シャッタカーテンの開閉時に手掛りとなる手掛り２６を取付けた。【選択図】　　　　図１
2004036346.tif 000002
【特許請求の範囲】
【請求項１】
シャッタカーテンの屋内側に手掛りを取付けたことを特徴とするシャッタ装置。
【発明の詳細な説明】
【０００１】
【発明の属する技術分野】
本発明は住宅、ビル等の開口部の開閉を行うシャッタ装置、特にシャッタカーテン開閉時の開閉作業性を向上させたシャッタ装置に関するものである。
【０００２】
【従来の技術】
住宅、ビル等の開口部、例えば庭等に面し、ガラス戸が設けられる開口部では敷居の下端が床面と略同一となっており、斯かる開口部に設けられるシャッタ装置では、床面から鴨居迄の大きな開閉動作が要求される。
【０００３】
従来、前記ガラス戸等に併設されるシャッタ装置のシャッタカーテンはスラットを屈曲自在に連結して構成したものが多く、シャッタカーテンの開閉に際し、例えばシャッタカーテンを閉じる場合の手掛りとしては、最初はシャッタカーテン下端の幅木（座板）に指を引っ掛け、又途中からはスラット間の連結部の凹凸、或はスラット自体の持つ凹凸に指を掛けてシャッタカーテンを引下ろしていた。
【０００４】
シャッタカーテンを開ける場合は最初は、スラット間の連結部の凹凸、或はスラット自体の持つ凹凸に指を掛けて引上げ、又途中からはシャッタカーテン下端の幅木に指を掛け引上げていた。又、一般的にはシャッタカーテンの開け始めが一番重く引上げに力を必要とする。この為、シャッタカーテンの凹凸だけでは充分な手掛りとならない場合は、一端屈込んでシャッタカーテンの下端或は幅木に指を掛け、シャッタカーテンを引上げることをしている。
【０００５】
【発明が解決しようとする課題】
従来のシャッタ装置では、シャッタカーテンの開閉の手掛りとして、シャッタカーテンの持つ凹凸を利用していたが、スラットの形状によっては凹凸が手掛りとならない場合があり、この場合は、シャッタカーテンの開閉共に幅木を手掛りとしていた。
【０００６】
幅木を手掛りとする様な場合では、幅木を床面から引上げ、或は幅木を床面迄引下ろす為、開閉動作共に屈込む必要があり、不便であり、操作性が良くないという不具合があった。
【０００７】
本発明は斯かる実情に鑑み、シャッタカーテンに手掛り部を設け、シャッタカーテンを開閉する場合に屈込む必要がない様にしたものである。
【０００８】
【課題を解決するための手段】
本発明は、シャッタカーテンの屋内側に手掛りを取付けたシャッタ装置に係るものである。
【０００９】
【発明の実施の形態】
以下、図面を参照しつつ本発明の実施の形態を説明する。
【００１０】
図中、１は屋内、２は屋外、３は開口部、４は建屋の壁部を示している。
【００１１】
前記開口部３の周囲にはアルミサッシ５が設けられている。該アルミサッシ５は下枠部６、上枠部７、側枠部８を具備している。
【００１２】
前記下枠部６には下ガイドレール９，１０及び下ガイドレール１１が形成され、前記上枠部７には上ガイドレール１２，１３及び上ガイドレール１４が形成されている。又、屋外２側には前記側枠部８に沿ってシャッタ装置のシャッタカーテンガイドレール１７が一体又は別体に設けられている。
【００１３】
前記下ガイドレール９，１０と上ガイドレール１２，１３間にはガラス戸等の引戸１５，１６が設けられ、前記下ガイドレール１１と前記上ガイドレール１４間には網戸１９が設けられている。前記引戸１５，１６は前記下ガイドレール９，１０、上ガイドレール１２，１３に沿って開閉され、前記網戸１９は前記下ガイドレール１１と上ガイドレール１４に沿って開閉される。
【００１４】
前記開口部３の上側の壁部４の屋外２側にシャッタボックス１８が設けられ、前記シャッタカーテンガイドレール１７の上端は前記シャッタボックス１８に達している。
【００１５】
該シャッタボックス１８には水平方向に延びる巻取り軸２１が回転自在に設けられ、該巻取り軸２１にはシャッタカーテン２２の上端が直接的又は間接的に係着され、該シャッタカーテン２２の両幅端部が前記シャッタカーテンガイドレール１７に摺動自在に嵌合している。又、前記巻取り軸２１にはバランススプリング（図示せず）が設けられ、前記シャッタカーテン２２の自重とバランスする様に、前記巻取り軸２１を巻取り方向に付勢している。
【００１６】
前記シャッタカーテン２２の下端には幅木２３が設けられ、該幅木２３の屋外２側には合成樹脂製のストッパ２４が固着され、該ストッパ２４は前記シャッタカーテン２２が全開した状態で前記シャッタボックス１８の下面に当接する様になっている。
【００１７】
前記シャッタカーテン２２はスラット２５が屈曲自在に連結されて構成されており、前記シャッタカーテン２２が全閉した状態で該シャッタカーテン２２の屋内１側の所要高さの位置にある前記スラット２５、例えば屈まないで、或は軽く屈んだ状態で、腕を下ろすと指が届く位置のスラット２５の屋内１側に手掛け２６が設けられる。又、該手掛け２６が設けられるスラット２５は、更に前記シャッタカーテン２２が全開状態に前記巻取り軸２１に巻取られた状態で、最外層部となる様になっている。
【００１８】
本発明に係るシャッタ装置は、主に一般住宅や集合住宅の窓開口部に設置され、その場合一般的に、窓開口部の屋内側には窓サッシを構成する窓用ガラス引き戸と網戸が配置され、窓開口部の屋外側には窓用シャッタ装置が配置されている。通常、窓用シャッタ装置を手動にて開閉操作する場合、屋内側から先ず窓用ガラス引き戸を開き、その後窓用シャッタ装置を屋内側から開閉操作する。特に窓用シャッタ装置が設けられている窓開口部が位置する箇所が地上２階以上の場合は、屋内側からのみでしか窓用シャッタ装置の開閉操作を行うことができない為、屋内側からの開閉操作が必須となる。上記した様に前記手掛け２６は前記シャッタカーテン２２の屋内１側に設けられているので、屋内側からのシャッタカーテンの開閉が簡単に行え、操作性が向上する。
【００１９】
又、前記手掛け２６は前記シャッタカーテン２２の屋内１側の両幅端部側で、前記側枠部８に干渉しない様な位置に設けられ、更に前記シャッタボックス１８のシャッタカーテン通過部２７は前記手掛け２６が干渉しない様な形状或は間隔寸法となっている。尚、前記手掛け２６は前記シャッタカーテン２２の幅中央部に設けられてもよい。前記手掛け２６は前記シャッタカーテン２２の両幅端部でなく何れか一方の端部にのみ設けてあってもよい。又前記手掛け２６は、略同高さ位置に複数設けてあってもよく、１個設けてあってもよい。
【００２０】
上述した様に、屋内側に窓用ガラス引き戸が配置されている上記実施の形態では、手掛けがシャッタカーテンの幅端部に設けられているので、引き戸を開けてからシャッタ装置を開閉操作する場合、引き戸を全開せず引き戸の戸先側（閉じり先端側）を少し開けた状態で、直ちにシャッタ装置の開閉操作ができる。
【００２１】
図４、図５により前記手掛け２６について説明する。
【００２２】
該手掛け２６はブロック状の両端部２６ａ，２６ａと該両端部２６ａ，２６ａ間に形成された断面倒立Ｌ字状の手掛り部２６ｂから構成され、前記手掛け２６は前記スラット２５の平坦部に密着可能な形状をしており、前記両端部２６ａには螺子穴２９が穿設されている。
【００２３】
前記手掛け２６は前記スラット２５の屋外２側から挿通される固着具、例えば六角穴付皿螺子３１により固着される。前記皿螺子３１の頭部には座３２が介設され、該座３２には前記皿螺子３１の頭部が嵌入するテーパ状の凹部が形成され、前記皿螺子３１で前記手掛け２６を固着した状態では、前記皿螺子３１の上面は前記座３２より若干、例えば１ｍｍ程度窪んでいる。
【００２４】
前記六角穴付皿螺子３１は螺子部に合成樹脂の皮膜が形成されたロックネジ、或はロック用のペイントが塗布されたロックネジを使用することが好ましい。ロックネジが使用されることで、前記六角穴付皿螺子３１の緩み止め、或は螺子穴部の防水効果が生じる。
【００２５】
前記手掛け２６、前記座３２の材質としては、合成樹脂製が好ましく、特に前記座３２は前記スラット５に接触した場合に該スラット５を傷付けない様に合成樹脂が用いられる。
【００２６】
前記シャッタカーテン２２は前記網戸１９の屋外２側に位置し、前記シャッタカーテンガイドレール１７に沿って昇降することで、前記開口部３を開閉する。
【００２７】
閉状態の前記シャッタカーテン２２を開く場合は、前記手掛け２６に指を掛け、前記シャッタカーテン２２を引上げる。前記手掛け２６の位置は大きく屈まなくても指が掛る位置にあるので、前記シャッタカーテン２２の開作業は簡単に行える。
【００２８】
又、該シャッタカーテン２２を閉じる際には前記幅木２３を持って引下げる。前記シャッタカーテン２２を閉じる場合は、該シャッタカーテン２２の自重が作用するので、前記幅木２３に大きな手掛り部がなくとも支障なく行える。又、前記シャッタカーテン２２が引下げられ、前記手掛け２６に手が届く様になってからは前記手掛け２６を持って前記シャッターカーテン２２が引下げられる。
【００２９】
又、前記シャッタカーテン２２の全開状態は、図２に示されているが、前記手掛け２６が取付けられているスラット２５は最外層部にあり、前記手掛け２６に更にスラットが巻付けられ、前記シャッタカーテン２２の巻径が大きくなることがなく、又いびつに巻取られることがない。尚、前記座３２は下層のスラット２５に当接するが、該座３２は合成樹脂製であり、下層のスラット２５が傷付けられることはなく、更に前記座３２の厚みは前記皿螺子３１の頭部の高さ程度と薄いので前記シャッタカーテン２２の巻き形状が崩れることもない。
【００３０】
尚、本発明は横引き式のシャッタ装置に実施されてもよく、或はパネルが連結されてシャッタカーテンが構成されるシャッタ装置に実施されてもよい。
【００３１】
又、前記手掛け２６は既存のシャッタ装置に対して後付けも可能である。
【００３２】
更に、前記手掛け２６に嵌合部を形成し、前記スラット２５には嵌合孔を形成し、前記手掛け２６を前記スラット２５に対して圧入する等すれば、前記皿螺子３１等の固着具は省略できる。
【００３３】
【発明の効果】
以上述べた如く本発明によれば、シャッタカーテンの屋内側に手掛りを取付けたので、手掛り部を持って容易にシャッタカーテンを開閉できるという優れた効果を発揮する。
【図面の簡単な説明】
【図１】本発明の実施の形態を示す斜視図である。
【図２】本発明の実施の形態に於いて、全開状態でのシャッタボックス部分の断面図である。
【図３】本発明の実施の形態を示す断面図である。
【図４】本発明の実施の形態に於ける手掛けの正面図である。
【図５】本発明の実施の形態に於ける手掛けの側面図である。
【符号の説明】
３　　　　　開口部
５　　　　　アルミサッシ
１７　　　　シャッタカーテンガイドレール
１８　　　　シャッタボックス
２２　　　　シャッタカーテン
２５　　　　スラット
２６　　　　手掛け
３２　　　　座
【図１】
2004036346.tif 000003
【図２】
2004036346.tif 000004
【図３】
2004036346.tif 000005
【図４】
2004036346.tif 000006
【図５】
2004036346.tif 000007